(57)【要約】【課題】利便性を向上できる薬液用包装体を提供することを目的とする。【解決手段】上面に開口部１０ａを有して薬液が充填される収容部１０と、開口部１０ａの周縁から外周方向に延びる延設部１３と、延設部１３に固着して開口部１０ａを塞ぐ蓋部２０とを備えた薬液用包装体１において、蓋部２０が少なくとも一端が開口して手指を挿入可能な筒部２５を有するとともに筒部２５の周面に固着して薬液を吸収する吸収体３０を設けた。【選択図】図４
2013208336.tif 000002
【特許請求の範囲】
【請求項１】
上面に開口部を有して薬液が充填される収容部と、前記開口部の周縁から外周方向に延びる延設部と、前記延設部に固着して前記開口部を塞ぐ蓋部とを備えた薬液用包装体において、前記蓋部が少なくとも一端が開口して手指を挿入可能な筒部を有するとともに前記筒部の周面に固着して薬液を吸収する吸収体を設けたことを特徴とする薬液用包装体。
【請求項２】
前記筒部が帯状の樹脂フィルムを折り返し、両側部を接着して形成されることを特徴とする請求項１に記載の薬液用包装体。
【請求項３】
前記樹脂フィルムは前記延設部に熱接着する熱接着性樹脂層を有することを特徴とする請求項２に記載の薬液用包装体。
【請求項４】
前記筒部の両側部がホットメルト接着剤により接着されることを特徴とする請求項２又は請求項３に記載の薬液用包装体。
【発明の詳細な説明】
【技術分野】
【０００１】
本発明は薬液を包装する薬液用包装体に関する。
【背景技術】
【０００２】
従来の薬液用の包装体が特許文献１に開示される。この包装体は脱脂綿が取り付けられた綿棒と薬液とが分離して収納されている。また、薬液が収納された薬液袋は包装体の蓋部を剥離する際に破れ得るように包装体及び蓋部に接合されている。使用の際、包装体の蓋部を剥離すると、薬液袋が破れて吸収体が収容される収容部へ流出する。吸収体が薬液を吸収した後、薬液が含浸した綿棒を包装体から取り出して患部に薬液を塗布する。これにより、薬液と綿棒とを別々に用意する必要がなく、簡単に薬液を塗布することができる。
【先行技術文献】
【特許文献】
【０００３】
【特許文献１】特開平１０−０８６９７７号公報
【発明の概要】
【発明が解決しようとする課題】
【０００４】
しかしながら、上記従来の薬液用の包装体によると、使用者は収容部を開封する作業と、脱脂綿に薬液を吸収した綿棒を取り出す作業とを行って薬液を塗布する。このため、薬剤の塗布時の作業手順が多くなる。従って、薬液用の包装体の利便性が悪い問題があった。
【０００５】
本発明は上記問題点に鑑み、利便性を向上できる薬液用包装体を提供することを目的とする。
【課題を解決するための手段】
【０００６】
上記目的を達成するために本発明は、薬液用包装体であって、上面に開口部を有して薬液が充填される収容部と、前記開口部の周縁から外周方向に延びる延設部と、前記延設部に固着して前記開口部を塞ぐ蓋部とを備えた薬液用包装体において、前記蓋部が少なくとも一端が開口して手指を挿入可能な筒部を有するとともに前記筒部の周面に固着して薬液を吸収する吸収体を設けたことを特徴としている。
【０００７】
この構成によると、使用者は開口する筒部の一端から手指を挿入し、収容部と蓋部との固着箇所を引き剥がして収容部と蓋部とを分離させる。このとき、薬液を吸収した吸収体が筒部の周面に固着した状態で取り出される。使用者は手指を筒部に挿入した状態で吸収体により薬液を患部に塗布する。これにより、収容部を開封する動作と薬液を塗布する動作とを一体的に連続して行うことができる。
【０００８】
また本発明は、上記構成の包装体において、前記筒部が帯状の樹脂フィルムを折り返し、両側部を接着して形成されることを特徴としている。この構成によると、手指を挿入可能な筒部を容易に形成することができる。
【０００９】
また本発明は、上記構成の包装体において、前記樹脂フィルムは前記延設部に熱接着する熱接着性樹脂層を有することを特徴としている。この構成によると、収容部内に薬液を容易に密封することができる。
【００１０】
また本発明は、上記構成の包装体において、前記筒部の両側部がホットメルト接着剤により接着されることを特徴としている。
【発明の効果】
【００１１】
本発明によると、薬液を充填する収容部を塞ぐ蓋部が筒部を有し、薬液を吸収する吸収体を筒部の周面に設けたので、筒部に手指を挿入して収容部を蓋部から剥離することで蓋部と収容部とを分離し、薬液が吸収された吸収体により薬液を患部に塗布することができる。これにより、収容部を開封する動作と薬液を塗布する動作とを一体的に連続して行うことができる。従って、使用者の利便性を向上することができる。
【図面の簡単な説明】
【００１２】
【図１】本発明の実施形態に係る包装体の分解斜視図
【図２】本発明の実施形態に係る包装体の上面図
【図３】図１中のＡ−Ａ断面図
【図４】図１中のＢ−Ｂ断面図
【図５】本発明の実施形態に係る包装体の変形例を示す断面図
【図６】本発明の実施形態に係る蓋部の層構成を示す概略断面図
【図７】本発明の実施形態に係る包装体の使用状態を示す斜視図
【発明を実施するための形態】
【００１３】
以下に本発明の実施形態を図面を参照して説明する。図１は一実施形態の薬液用の包装体の分解斜視図であり、図２は包装体の上面図、図３は図２のＡ−Ａ断面図である。
【００１４】
包装体１は上面に開口部１０ａを有して薬液４０が充填される収容部１０と、開口部１０ａを塞ぐ蓋部２０と、蓋部２０の下部に固着されて薬液４０に浸漬される吸収体３０とで構成される。
【００１５】
薬液４０は吸収体３０に含浸させて塗布するのに適したすべての溶液を用いることができる。例えば、消毒薬、キズ薬、かゆみ止め薬を用いることができる。また、洗浄液や化粧液を用いてもよい。
【００１６】
収容部１０は樹脂フィルムにより形成され、開口部１０ａの周縁から外周方向に延びる延設部１３が一体に成形される。収容部１０及び延設部１３を構成する樹脂フィルムとしては、例えば、ポリエチレン、ポリプロピレン、塩化ビニルとポリスチレンとポリエチレンテレフタレートの少なくとも一を含む積層体等を任意に選択して使用することができる。
【００１７】
収容部１０及び延設部１３の樹脂フィルムとしてより好ましくは、ポリプロピレン/未延伸ナイロン/ポリエチレン、ポリプロピレン/未延伸ナイロン/ポリプロピレン、ポリエチレンテレフタレート/未延伸ナイロン/エチレン−ビニルアルコール共重合体/ポリプロピレンなどからなる共押フィルムが使用できる。なお、ポリエチレンやポリプロピレンは熱によって溶融して対向する蓋部２０に融着して熱接着し得る。
【００１８】
蓋部２０は樹脂フィルム６０により形成され、延設部１３に熱接着される。これにより、収容部１０の上面が塞がれ、薬液４０が収容部１０に封入される。蓋部２０は延設部１３の外周よりも外側に延びた一端に挿入口２１を開口した筒部２５（図４参照）が設けられる。筒部２５は蓋部２０を形成する樹脂フィルム６０を長手方向に二分する折り線２２で折り返し、両側部２０ａをホットメルト接着剤７１で接着して形成される。これにより、筒部２５は挿入口２１から手指を挿入することができる。
【００１９】
筒部２５の周面には吸収体３０がホットメルト接着剤７０を介して固着され、吸収体３０は収容部１０内部で薬液４０に浸漬される。吸収体３０は薬剤４０を吸収できる材質を有する。なお、ホットメルト接着剤以外に各種接着剤を用いてもよい。
【００２０】
吸収体３０は薬液を吸収し、かつ皮膚等に塗布し得るものであれば、その材料は特に限定されない。例えば、脱脂綿、絹、ウール、レーヨン、ポリエステル、アクリル、ナイロン、ポリオレフィン等を用いることができる。また、これらを２種以上混合したものであってもよい。形状も特に限定されるものではなく、例えば、球形、円筒形、平板形等の適宜の形状とすることができる。また、吸収体３０は、繊維を巻き付けたもの、帯状の不織布をロール状に巻き付けたもの、型抜きされた一体ものや成型品であってもよい。
【００２１】
図４は図３のＢ−Ｂ断面図を示している。挿入口２１から手指を挿入すると、収容部１０の対向する周壁の上端が接近する方向に変形するとともに筒部２５の上下面が湾曲する。これにより、手指を吸収体３０上まで挿入することができる。延伸性を有する軟質の樹脂フィルム６０により蓋部２０を形成すると、筒部２５に手指を容易に挿入できるためより望ましい。
【００２２】
なお、収容部１０を硬質樹脂により形成してもよい。この時、図５に示すように蓋部２０の両側部２０ａが延設部１３の外周よりも外側に延びて形成される。挿入口２１から手指を挿入すると、蓋部２０の両側部２０ａが屈曲して筒部２５の上面が湾曲する。これにより、手指を吸収体３０上まで挿入することができる。
【００２３】
図６は蓋部２０を構成する樹脂フィルム６０の断面図を示している。樹脂フィルム６０は少なくとも基材層６１と最内層となる熱接着性樹脂層６３とを備えており、基材層６１の裏面には印刷層６４が設けられている。基材層６１と熱接着性樹脂層６３との間には中間層（不図示）を設けてもよい。
【００２４】
基材層６１は包装体１に高い密封性、耐突き刺し（耐ピンホール）性、品質保全性、衛生性等を付与するものである。基材層６１としては、未延伸ナイロン、ポリエチレンテレフタレート、ポリエチレンナフタレート等の公知の樹脂を任意に選択することができ、単層または多層にして使用することができる。また、樹脂フィルム６０を折り線２２に沿って折り返したとき、両側部２０ａにおいて対向する基材層６１同士がホットメルト接着剤７１を介して接着される（図１参照）。
【００２５】
中間層（不図示）は、外部から収納部１０の内部に水蒸気や酸素が浸入することを防止して収納部１０に収納される薬剤４０の劣化を防止する。中間層としては、例えば、エチレン−ビニルアルコール共重合体、アルミニウム、ニッケルなどの金属、又は、無機化合物、例えば、酸化珪素、アルミナ等を蒸着したフィルムなどが挙げられる。
【００２６】
熱接着性樹脂層６３は熱によって溶融して対向する延設部１３の表層と融着して熱接着し得るものであればよく、例えば、低密度ポリエチレン、中密度ポリエチレン、高密度ポリエチレン、直鎖状（線状）低密度ポリエチレン、メタロセン触媒（シングルサイト触媒）を使用して重合したエチレン・α−オレフィン共重合体、ポリプロピレン、エチレン・酢酸ビニル共重合体、アイオノマー樹脂、エチレン−アクリル酸エチル共重合体、エチレン−アクリル酸共重合体、エチレン−メタクリル酸共重合体、エチレン−プロピレン共重合体、メチルペンテンポリマー、ポリエチレンまたはポリプロピレン等のポリオレフィン系樹脂をアクリル酸、メタクリル酸、無水マレイン酸、フマール酸等の不飽和カルボン酸で変性した酸変性ポリオレフィン系樹脂等から選ばれた１種ないし２種以上を使用することができる。好ましいものとしては、直鎖状低密度ポリエチレンを挙げることができる。
【００２７】
印刷層６４はインキ材を基材層６１又は中間層に印刷塗布して形成される。樹脂フィルム６０は折り線２２に沿って折り返して熱接着性樹脂層６３が包装体１の外観側に配される。このため、印刷層６４は熱接着性樹脂層６３を介して視認される。印刷層６４に用いられるインキ材はバインダー、着色剤、各種添加剤により構成することができる。着色剤として、有彩色着色顔料または無機系の着色顔料を使用することができる。
【００２８】
蓋部２０に用いられる樹脂フィルム６０は延設部１３に用いられる樹脂フィルムの種類に応じて選択する。具体的には、ポリエチレンテレフタレート／印刷層／ポリエチレン／ポリエチレンで構成される積層体（以下、「第１の積層体」という）を使用することができる。即ち、第１の積層体は基材層６１であるポリエチレンテレフタレートフィルム（厚さ１２μｍ）の一方の面をインキ材で印刷して印刷層６４を形成し、印刷層６４の上にポリエチレンを厚さ１５μｍで溶融押出しして熱接着性樹脂層６３であるポリエチレンフィルム（厚さ３０μｍ）を貼合して得られる。
【００２９】
また、ポリエチレンテレフタレート／ドライラミネート用接着剤／エチレン−ビニルアルコール共重合体／印刷層／ポリエチレンで構成される積層体（以下、「第２の積層体」という）により蓋部２０を形成することもできる。即ち、第２の積層体は中間層であるエチレン−ビニルアルコール共重合体フィルム（厚さ１５μｍ）の一方の面をインキ材で印刷して印刷層６４を形成し、印刷層６４の上に熱接着性樹脂層６３であるポリエチレンを厚さ２５μｍで溶融押出し、印刷層６４が形成されていない面に基材層６１であるポリエチレンテレフタレートフィルム（厚さ１２μｍ）をドライラミネート用接着剤を介して貼合して得られる。
【００３０】
また、ポリエチレンテレフタレート／印刷層／ポリエチレン／未延伸ポリプロピレンで構成される積層体（以下、「第３の積層体」という）により蓋部２０を形成することもできる。即ち、第３の積層体は基材層６１であるポリエチレンテレフタレートフィルム（厚さ１２μｍ）の一方の面をインキ材で印刷して印刷層６４を形成し、印刷層６４の上にポリエチレンを厚さ１５μｍで溶融押出しして熱接着性樹脂層６３である未延伸ポリプロピレンフィルム（厚さ２０μｍ）を貼合して得られる。
【００３１】
蓋部２０に第１の積層体及び第２の積層体を用いる場合、収容部１０にはポリプロピレン/未延伸ナイロン/ポリエチレン、ポリプロピレン/未延伸ナイロン/ポリプロピレン、ポリエチレンテレフタレート/未延伸ナイロン/エチレン−ビニルアルコール共重合体/ポリプロピレンなどからなる共押フィルムを用いる。この組み合わせによると、包装体１は耐衝撃性に優れ、輸送中に収容部１０が破断するのを防止することができる。また、中間層であるエチレン−ビニルアルコール共重合体を介在させることにより、収容部１０の内部の気密性が高まる。
【００３２】
また、蓋部２０に第３の積層体を用いる場合、収容部１０には未延伸のポリプロピレンフィルムを用いることが好ましい。この組み合わせによると、未延伸のポリプロピレン同士がヒートシールにより、高い接着強度で熱接着する。このため、高い気密性を保持しながら薬剤４０を収容部１０の内部に密封することができる。
【００３３】
図７は包装体１の使用状態を示す斜視図である。使用者は例えば、挿入口２１から人差し指を筒部２５に挿入し、収容部１０を蓋部２０から引き剥がして蓋部２０と収容部１０を分離する。このとき、薬液４０を吸収した吸収体３０が筒部２５の周面に固着した状態で取り出される。使用者は人差し指を筒部２５に挿入した状態で薬液を吸収した吸収体３０により薬液を患部に塗布する。これにより、収容部１０を開封する動作と薬液４０を塗布する動作とを一体的に連続して行うことができる。なお、使用者は収容部１０を蓋部２０から引き剥がして分離した後、筒部２５に手指を挿入してもよい。
【００３４】
本実施形態によると、薬液４０を充填する収容部１０を塞ぐ蓋部２０が筒部２５を有し、薬液４０を吸収する吸収体３０を筒部２５の周面に設けたので、筒部２５に手指を挿入して収容部１０を蓋部２０から引き剥がして収容部１０と蓋部２０を分離し、薬液を吸収した吸収体３０により薬液を患部に塗布することができる。これにより、収容部１０を開封する動作と薬液を塗布する動作とを一体的に連続して行うことができる。従って、使用者の利便性を向上することができる。
【００３５】
また、帯状の樹脂フィルム６０を折り返し、両側部２０ａを接着することにより、手指を挿入可能な筒部２５を容易に形成することができる。また、樹脂フィルム６０は延設部１３に熱接着する熱接着性樹脂層６３を有することにより、収容部１０内に吸収体３０を浸漬した状態で薬液４０を容易に密封することができる。また、筒部２５の両側部２０ａをホットメルト接着剤７１により接着することにより、収容部１０を封止した後、樹脂フィルム６０を折り返して筒部２５を形成することができる。これにより、収容部１０を封止する工程と筒部２５を形成する工程とを連続して行うことができ、生産性を高めることができる。
【産業上の利用可能性】
【００３６】
本発明は、例えば、医薬品を包装する包装体に利用可能である。
【符号の説明】
【００３７】
１                包装体
１０              収容部
１０ａ            開口部
１３              延設部
２０              蓋部
２０ａ            両側部
２１              挿入口
２２              折り線
２５              筒部
３０              吸収体
６０              樹脂フィルム
６１              基材層
６３              熱接着性樹脂層
６４              印刷層
７０、７１        ホットメルト接着剤
【図１】
2013208336.tif 000003
【図２】
2013208336.tif 000004
【図３】
2013208336.tif 000005
【図４】
2013208336.tif 000006
【図５】
2013208336.tif 000007
【図６】
2013208336.tif 000008
【図７】
2013208336.tif 000009